(57)【要約】【課題】メインフィン及び両補助フィンの各傾きに拘らず圧力損失を減少させる。【解決手段】空調用薄型レジスタ１０では、空調用空気Ａ１の通風路２０を有するケース１１内の第２壁部２２に接近した箇所に一対の補助フィン３２，３３が配置され、両補助フィン３２，３３間にメインフィン３１が配置される。そして、両補助フィン３２，３３が、メインフィン３１と同じ傾向の傾きとなるように同メインフィン３１に同期した状態で傾動させられる。各第２壁部２２の下流部には、通風路２０から遠ざかる側へ膨出する膨出壁部２７が設けられ、膨出壁部２７で囲まれた空間により、補助フィン３２，３３が、第２壁部２２の一般壁部２６よりも通風路２０の外側へ傾動するのを許容する傾動空間ＴＳが構成される。吹出口１５における第２方向の寸法Ｍ１と、両一般壁部２６の間隔Ｄ１とが同一又は近い値に設定される。【選択図】図６
2016016786.tif 000002
【特許請求の範囲】
【請求項１】
第１方向に相対向する一対の第１壁部と、前記第１方向に直交する第２方向に相対向する一対の第２壁部とにより、前記第２方向よりも前記第１方向に寸法の大きな筒状に形成され、内部空間を空調用空気の通風路として有するとともに、下流端に空調用空気の吹出口を有するケースと、前記ケース内の前記第２壁部に接近した箇所で前記第１方向に延び、前記第１壁部に対し傾動可能に支持された一対の補助フィンと、一対の前記補助フィン間で前記第１方向に延び、前記第１壁部に対し傾動可能に支持されたメインフィンとを備え、前記両補助フィンが前記メインフィンと同じ傾向の傾きとなるように同メインフィンに同期した状態で傾動させられる空調用薄型レジスタであって、
前記各第２壁部の下流部には、前記通風路から遠ざかる側へ膨出する膨出壁部が設けられ、前記膨出壁部で囲まれた空間により、前記補助フィンが、前記第２壁部において前記膨出壁部よりも上流部を構成する一般壁部よりも前記通風路の外側へ傾動するのを許容する傾動空間が構成されており、
前記吹出口における前記第２方向の寸法と、前記一対の第２壁部における前記一般壁部の間隔とが同一又は近い値に設定されている空調用薄型レジスタ。
【請求項２】
前記各補助フィンは、前記吹出口と前記第２壁部との間で前記第１壁部に対し傾動可能に支持されている請求項１に記載の空調用薄型レジスタ。
【請求項３】
前記メインフィンが前記一般壁部に対し平行な状態にされたとき、前記各補助フィンは、前記傾動空間の前記通風路との境界部分で、前記一般壁部に対し平行な状態にされる請求項２に記載の空調用薄型レジスタ。
【請求項４】
前記メインフィンが採り得る最大角度傾動されたときの前記両補助フィンの間隔が、採り得る最大の値又はそれに近い値に設定されている請求項１〜３のいずれか１項に記載の空調用薄型レジスタ。
【発明の詳細な説明】
【技術分野】
【０００１】
本発明は、空調装置から送られてきた空調用空気の吹出口として長方形状の開口を下流端に有し、その開口から吹き出される空調用空気の向きをフィンにより変更等する空調用薄型レジスタに関する。
【背景技術】
【０００２】
車両のインストルメントパネルには、空調装置から送られてきて車室内に吹き出す空調用空気の向きを変更等するための空調用レジスタが組込まれている。この空調用レジスタの一形態として、縦方向と横方向とで寸法が大きく異なるタイプ、例えば、横方向の寸法が縦方向の寸法よりも大きな薄型の空調用レジスタ（以下「空調用薄型レジスタ」という）が従来から種々考えられている。
【０００３】
この空調用薄型レジスタの一態様として、ケース、一対の補助フィン及びメインフィンを備えるものがある。ケースは高さの低い四角筒状をなし、内部空間を空調用空気の通風路として有している。また、ケースは、下流端に空調用空気の吹出口を有している。吹出口は、意匠性の観点から、縦方向の寸法が横方向の寸法に比べて小さな横長の長方形状に形成されている。
【０００４】
各補助フィン、及びそれらの間に配置されたメインフィンは、いずれも横方向に延び、ケースの左右の壁部に対し、フィン軸により傾動可能に支持されている。そして、通風路を流れる空調用空気は、メインフィン及び両補助フィンに沿って流れた後、吹出口から吹き出す。
【０００５】
上記空調用薄型レジスタは、各補助フィンの配置態様及び作動態様の観点から、大きく２つのタイプに分けられる。
図９に示すタイプの空調用薄型レジスタでは、両補助フィン７６がメインフィン７５に連動して傾動させられる。そのため、ケース７１の上側の壁部７４は、上側の補助フィン７６の傾動空間を確保すべく、同上側の補助フィン７６のフィン軸７７から上方へ離されている。また、ケース７１の下側の壁部７４は、下側の補助フィン７６の傾動空間を確保すべく、同下側の補助フィン７６のフィン軸７７から下方へ離されている（例えば、特許文献１参照）。
【０００６】
また、図１０に示すタイプの空調用薄型レジスタでは、同図１０において実線で示すように、メインフィン７５が上下の壁部７４に対し平行な状態にされたときには、両補助フィン７６が同壁部７４に対し平行な状態にされる。また、メインフィン７５が上記状態から例えば同図１０において二点鎖線で示すように傾動させられた場合、同メインフィン７５の上流端に近い側（図１０では上側）の補助フィン７６が壁部７４に対し平行な状態に維持される。また、メインフィン７５の上流端から遠い側（図１０では下側）の補助フィン７６は、同図１０において二点鎖線で示すように、メインフィン７５に同期して同じ方向へ傾動させられる（例えば、特許文献２参照）。このタイプの空調用薄型レジスタでは、各補助フィン７６は通風路７３から遠ざかる側へ傾動しない。そのため、ケース７１の上側の壁部７４は、上側の補助フィン７６のフィン軸７７に近づけられている。また、ケース７１の下側の壁部７４は、下側の補助フィン７６のフィン軸７７に近づけられている。
【先行技術文献】
【特許文献】
【０００７】
【特許文献１】特開２０１３−１１６６５０号公報
【特許文献２】特開２０１１−２７３４８号公報
【発明の概要】
【発明が解決しようとする課題】
【０００８】
ところが、前者（図９）のタイプの空調用薄型レジスタでは、上述したように、上側の壁部７４が上側の補助フィン７６のフィン軸７７から上方へ離れ、下側の壁部７４が下側の補助フィン７６のフィン軸７７から下方へ離れていることから、両壁部７４の間隔Ｄ１が大きい。一方で、上述したように、吹出口７２の上下方向の寸法Ｍ１は左右方向の寸法に比べて小さい。そのため、吹出口７２の上下方向の寸法Ｍ１と、両壁部７４の間隔Ｄ１との差が大きい。このことは、空調用空気Ａ１が、両壁部７４に対し平行な状態にされたメインフィン７５及び両補助フィン７６を通過する過程で、流路の上下方向の寸法が急激に小さくなることを意味する。その結果、メインフィン７５及び両補助フィン７６が壁部７４に対し平行な状態にされたとき、通風抵抗が大きくなって圧力損失が増大する。
【０００９】
これに対し、後者（図１０）の空調用薄型レジスタでは、両壁部７４の間隔Ｄ１が前者（図９）よりも小さくなる。吹出口７２の上下方向の寸法Ｍ１と、両壁部７４の間隔Ｄ１との差は、前者（図９）の空調用薄型レジスタよりも小さくなる。しかし、図１０において二点鎖線で示すように、メインフィン７５が両壁部７４に対し傾斜させられた場合、メインフィン７５の上流端に近い側（図１０では上側）の補助フィン７６が壁部７４に対し平行な状態にされることから、その補助フィン７６とメインフィン７５との間における流路７８の上下方向の寸法が小さい。そのため、空調用空気Ａ１が流路７８を通過する際に受ける通風抵抗が大きく、この場合にも圧力損失が増大する。また、メインフィン７５とその上流端から遠い側（図１０の下側）の補助フィン７６との間隔Ｄ４が極端に小さくなり、圧力損失が異常に大きくなる。
【００１０】
そして、上記のように圧力損失が増大すると、図９に示すタイプでも図１０に示すタイプでも、空調用空気Ａ１が吹出口７２から吹出す際に発生する風切り音等の騒音が大きくなる。
【００１１】
本発明は、このような実情に鑑みてなされたものであって、その目的は、メインフィン及び両補助フィンの各傾きに拘らず圧力損失を減少させることのできる空調用薄型レジスタを提供することにある。
【課題を解決するための手段】
【００１２】
上記課題を解決する空調用薄型レジスタは、第１方向に相対向する一対の第１壁部と、前記第１方向に直交する第２方向に相対向する一対の第２壁部とにより、前記第２方向よりも前記第１方向に寸法の大きな筒状に形成され、内部空間を空調用空気の通風路として有するとともに、下流端に空調用空気の吹出口を有するケースと、前記ケース内の前記第２壁部に接近した箇所で前記第１方向に延び、前記第１壁部に対し傾動可能に支持された一対の補助フィンと、一対の前記補助フィン間で前記第１方向に延び、前記第１壁部に対し傾動可能に支持されたメインフィンとを備え、前記両補助フィンが前記メインフィンと同じ傾向の傾きとなるように同メインフィンに同期した状態で傾動させられる空調用薄型レジスタであって、前記各第２壁部の下流部には、前記通風路から遠ざかる側へ膨出する膨出壁部が設けられ、前記膨出壁部で囲まれた空間により、前記補助フィンが、前記第２壁部において前記膨出壁部よりも上流部を構成する一般壁部よりも前記通風路の外側へ傾動するのを許容する傾動空間が構成されており、前記吹出口における前記第２方向の寸法と、前記一対の第２壁部における前記一般壁部の間隔とが同一又は近い値に設定されている。
【００１３】
上記の構成によれば、メインフィンが第２壁部の一般壁部に対し平行な状態にされたときには、各補助フィンは第２壁部に接近した箇所で、その一般壁部に対し平行な状態となる。空調用空気の一部はメインフィンと補助フィンとの間の流路において、それらのメインフィン及び補助フィンに沿って流れ、吹出口から下流側へ真っ直ぐ吹き出す。ここで、メインフィン及び補助フィンがいずれも、第２壁部の一般壁部に対し平行な状態であることから、それらによる通風抵抗は最小となる。このときの通風抵抗は、吹出口における第２方向の寸法と、一対の一般壁部の間隔との差によって左右される。しかし、上記のように、吹出口の寸法と、一般壁部の間隔とが同一又は近い値に設定されていて、両者の差が小さい。そのため、空調用空気がメインフィン及び補助フィンに沿って流れる際に流路面積が急激に減少することによる通風抵抗の増大が起こりにくく、圧力損失が減少される。
【００１４】
また、メインフィンが第２壁部の一般壁部に対し傾斜しているときには、同メインフィンの上流端から遠い側の補助フィンは、通風路の内側（最寄りの第２壁部から遠ざかる側）へ傾斜した状態となる。すなわち、補助フィンはメインフィンと同じ傾向の傾きで傾斜する。また、メインフィンの上流端に近い側の補助フィンは、通風路の外側、すなわち、最寄りの第２壁部における膨出壁部の傾動空間に入り込む。この補助フィンもまたメインフィンと同じ傾向の傾きで傾斜する。従って、メインフィンの上流端に近い側の補助フィンが第２壁部に対し平行な状態にされるものとは異なり、補助フィンとメインフィンとの間における流路の第２方向の寸法が大きい。そのため、空調用空気が、メインフィンとその上流端に近い側の補助フィンとの間の流路を通過する際に受ける通風抵抗の増大が起こりにくく、圧力損失が減少される。
【００１５】
上記空調用薄型レジスタにおいて、前記各補助フィンは、前記吹出口と前記第２壁部との間で前記第１壁部に対し傾動可能に支持されていることが好ましい。
上記の構成によれば、メインフィンが第２壁部の一般壁部に対し平行な状態にされたときには、各補助フィンも一般壁部に対し平行な状態で吹出口と第２壁部との間に位置する。そのため、空調用薄型レジスタを下流側から見た場合、各補助フィンの手前に吹出口の周りの部分が位置することとなり、各補助フィンが同部分に隠れて見えにくくなる。
【００１６】
上記空調用薄型レジスタにおいて、前記メインフィンが前記一般壁部に対し平行な状態にされたとき、前記各補助フィンは、前記傾動空間の前記通風路との境界部分で、前記一般壁部に対し平行な状態にされることが好ましい。
【００１７】
上記の構成によれば、メインフィンが一般壁部に対し平行な状態にされたときには、各補助フィンが、傾動空間の通風路との境界部分で、第２壁部の一般壁部に対し平行な状態となる。傾動空間は、通風路との境界部分で補助フィンによって塞がれた状態となる。そのため、通風路を流れる空調用空気は、傾動空間に流入しにくく、補助フィンとメインフィンとの間の流路を流れることとなる。
【００１８】
上記空調用薄型レジスタにおいて、前記メインフィンが採り得る最大角度傾動されたときの前記両補助フィンの間隔が、採り得る最大の値又はそれに近い値に設定されていることが好ましい。
【００１９】
上記の構成によれば、メインフィンと補助フィンとの間の流路の流路面積は、メインフィン及び補助フィンが第２壁部の一般壁部に対し平行な状態となったときに最大となる。この流路面積は、メインフィン及び両補助フィンの一般壁部に対する傾斜角度が大きくなるに従い小さくなる。しかし、上記のように、メインフィンが採り得る最大角度傾動されたときの両補助フィンの間隔が、採り得る最大の値又はそれに近い値に設定されることにより、メインフィンと補助フィンとの間に広い流路が確保される。メインフィンが採り得る最大角度傾動されたときにも、空調用空気が、メインフィンと補助フィンとの間の流路を通過する際に受ける通風抵抗が小さく、圧力損失が少ない。
【発明の効果】
【００２０】
上記空調用薄型レジスタによれば、メインフィン及び両補助フィンの各傾きに拘らず圧力損失を減少させることができる。
【図面の簡単な説明】
【００２１】
【図１】空調用薄型レジスタの一実施形態を示す図であり、メインフィンが略水平にされた空調用薄型レジスタの斜視図。
【図２】図１の空調用薄型レジスタの右側面図。
【図３】図１の空調用薄型レジスタの構成部品の一部を示す分解斜視図。
【図４】同じく図１の空調用薄型レジスタの構成部品の一部を示す分解斜視図。
【図５】一実施形態における空調用薄型レジスタの平断面図。
【図６】一実施形態を示す図であり、（ａ）は、メインフィンが略水平にされた空調用薄型レジスタの縦断面図、（ｂ）は図６（ａ）の一部を拡大して示す縦断面図。
【図７】図６（ｂ）のメインフィンが下流側ほど高くなるように傾動させられた空調用薄型レジスタの部分縦断面図。
【図８】図６（ｂ）のメインフィンが下流側ほど低くなるように傾動させられた空調用薄型レジスタの部分縦断面図。
【図９】従来の空調用薄型レジスタの部分縦断面図。
【図１０】図９とは異なるタイプの従来の空調用薄型レジスタの部分縦断面図。
【発明を実施するための形態】
【００２２】
以下、車両用の空調用薄型レジスタに具体化した一実施形態について、図１〜図８を参照して説明する。
なお、以下の記載においては、車両の進行方向（前進方向）を前方とし、後進方向を後方とし、高さ方向を上下方向として説明する。また、車幅方向（左右方向）については、車両を後方から見た場合を基準として方向を規定する。
【００２３】
車室内において、車両の前席（運転席及び助手席）の前方にはインストルメントパネルが設けられ、その車幅方向についての中央部、側部等には空調用薄型レジスタが組込まれている。この空調用薄型レジスタの主な機能は、一般的な非薄型の空調用レジスタと同様、空調装置から送られてきて車室内に吹き出す空調用空気の向きを変更すること、空調用空気の吹き出しを遮断すること等である。
【００２４】
最初に、空調用薄型レジスタ１０の基本構造について説明する。図１及び図５に示すように、空調用薄型レジスタ１０は、ケース１１、下流側フィン群、上流側フィン群、シャットダンパ５１、操作ノブ６２及び伝達機構ＤＭ１を備えている。次に、空調用薄型レジスタ１０を構成する各部の構成について説明する。
【００２５】
＜ケース１１＞
図２〜図４に示すように、ケース１１は、空調装置の通風ダクト（図示略）と、インストルメントパネルに設けられた開口（図示略）とを繋ぐためのものであり、上流側リテーナ１２、下流側リテーナ１３及びベゼル１４を備えている。ケース１１は、両端が開放され、かつ横方向の寸法が縦方向の寸法よりも大きな四角筒状をなしている。このケース１１の内部空間は、空調用空気Ａ１の流路（以下「通風路２０」という）とされている。
【００２６】
ここで、通風路２０での空調用空気Ａ１の通風方向に直交する面上において、互いに略直交する２方向の一方を第１方向とし、他方を第２方向とする。本実施形態では、車幅方向を第１方向とし、上下方向を第２方向としている。
【００２７】
上流側リテーナ１２は、ケース１１の最上流部分を構成する部材である。下流側リテーナ１３は、上流側リテーナ１２の下流側に配置されており、自身の上流端部において上流側リテーナ１２の下流端部に連結されている。ベゼル１４は、空調用薄型レジスタ１０の意匠面を構成する部材であり、ケース１１の最下流部に位置し、下流側リテーナ１３に下流側から連結されている。ベゼル１４は、横長長方形状の開口を有している。この開口は、通風路２０の下流端を構成し、空調用空気Ａ１の吹出口１５をなしている。
【００２８】
上記通風路２０は、ケース１１の４つの壁部によって取り囲まれている。これらの４つの壁部は、第１方向（車幅方向）に相対向する一対の第１壁部２１と、互いに第２方向（上下方向）に相対向する一対の第２壁部２２とからなる。両第１壁部２１は互いに平行な状態又はそれに近い状態で対向しており、両第１壁部２１の間隔Ｄ２（図５参照）は、空調用空気Ａ１の流れ方向のどの箇所でも均一である。
【００２９】
図２及び図３に示すように、両第１壁部２１であって、下流側リテーナ１３の下流端部とベゼル１４との連結部分の複数箇所（上部、中央部、下部）には、それぞれ軸受部２３が設けられている。上下の軸受部２３は、第２方向については、第２壁部２２に接近した箇所であって、ベゼル１４の後述する突部１４ａの上流近傍に位置している。
【００３０】
図１及び図４に示すように、両第２壁部２２であって、上記軸受部２３よりも上流、より詳しくは、上流側リテーナ１２の下流端部と下流側リテーナ１３の上流端部との連結部分には、複数の軸受部２４が設けられている。複数の軸受部２４は、第１方向については、互いに略等間隔で離れた箇所に位置している。
【００３１】
各第１壁部２１であって、軸受部２４よりも上流には、孔からなる軸受部２５が設けられている。各軸受部２５は、第２方向については両第２壁部２２間の略中央部に位置している。
【００３２】
＜下流側フィン群＞
図３及び図６（ａ），（ｂ）に示すように、下流側フィン群は、１つの下流側メインフィン（以下「メインフィン」という）３１と、上下一対の下流側補助フィン（以下「補助フィン」という）３２，３３とからなる。これらのメインフィン３１及び両補助フィン３２，３３は、それぞれ通風路２０内で第１方向へ延びる横長の板状体によって構成されている。
【００３３】
各補助フィン３２，３３の通風方向についての寸法（幅）は、メインフィン３１の同方向の寸法（幅）よりも小さく設定されている。
上側の補助フィン３２は、第２方向については、上側の第２壁部２２の直下に配置されている。下側の補助フィン３３は、第２方向については、下側の第２壁部２２の直上に配置されている。メインフィン３１は、第２方向の略中央部、すなわち、補助フィン３２と補助フィン３３との中間部分に配置されている。
【００３４】
メインフィン３１及び各補助フィン３２，３３の第１方向についての両方の端面からは、フィン軸３４がそれぞれ同方向についての外方に向けて突出している。各フィン軸３４は、通風方向については、メインフィン３１及び両補助フィン３２，３３の各下流端に配置されている。各フィン軸３４は、上記軸受部２３により両第１壁部２１に対し傾動可能に支持されている。
【００３５】
なお、下流側フィン群を３枚のフィン（１枚のメインフィン３１と２枚の補助フィン３２，３３）によって構成したのは、上下方向の寸法の小さな通風路２０において、メインフィン３１とその隣の補助フィン３２，３３との間隔をできるだけ大きくして空調用空気Ａ１の流路を確保するためである。
【００３６】
図２、図３及び図５に示すように、メインフィン３１及び補助フィン３２，３３の各々について、その少なくとも一方（本実施形態では一方）のフィン軸３４は、対応する第１壁部２１から外側に突出している。これらの突出するフィン軸３４の端部には、それぞれアーム３５が一体に形成されている。各アーム３５は、フィン軸３４を起点として上流側へ延びており、その延出端に連結軸３６を有している。
【００３７】
アーム３５毎の連結軸３６は、連結ロッド３７によって連結されている。これらのアーム３５、連結軸３６、連結ロッド３７等により、メインフィン３１及び両補助フィン３２，３３を機械的に連結し、両補助フィン３２，３３をメインフィン３１と同じ傾向の傾きとなるように同メインフィン３１に同期した状態で傾動させるリンク機構ＬＭ１が構成されている。
【００３８】
＜上流側フィン群＞
図４及び図５に示すように、上流側フィン群は、通風路２０内の下流側フィン群よりも上流側に配列された複数の上流側フィンからなる。各上流側フィンは、それぞれ通風路２０内で第２方向へ延びる板状体によって構成されている。複数の上流側フィンは、第１方向には略等間隔で互いに略平行に離間した状態で配設されている。
【００３９】
ここで、複数の上流側フィンを区別するために、第１方向についての略中央部に位置するものを「上流側フィン４１」といい、それ以外のものを「上流側フィン４２」というものとする。
【００４０】
各上流側フィン４１，４２の第２方向についての両方の端面からは、フィン軸４３がそれぞれ同方向についての外方に向けて突出している。各フィン軸４３は、通風方向については、上流側フィン４１，４２の略中央部に位置している。各上流側フィン４１，４２の両フィン軸４３は、上記軸受部２４により両第２壁部２２に対し傾動可能に支持されている。
【００４１】
図４及び図６（ａ）に示すように、各上流側フィン４１，４２について、その少なくとも一方（本実施形態では上方）のフィン軸４３は、対応する上側の第２壁部２２から外側に突出している。これらの突出するフィン軸４３の端部には、それぞれアーム４４が一体に形成されている。各アーム４４は、フィン軸４３を起点として上流側へ延びており、その延出端に連結軸４５を有している。アーム４４毎の連結軸４５は、連結ロッド４６によって連結されている。そして、これらのアーム４４、連結軸４５、連結ロッド４６等により、全ての上流側フィン４２を上流側フィン４１と同じ傾向の傾きとなるように同上流側フィン４１に同期した状態で傾動させるリンク機構ＬＭ２が構成されている。
【００４２】
＜シャットダンパ５１＞
図５及び図６に示すように、シャットダンパ５１は、ケース１１内の上流側フィン群よりも上流側で通風路２０を開閉するためのものである。シャットダンパ５１は、通風路２０に直交する面に対応して、第２方向よりも第１方向に細長い長方形の板状をなすダンパプレート５２と、ダンパプレート５２の周囲に装着されたシール部材５３とを備えている。
【００４３】
ダンパプレート５２の第１方向の両端面からは、軸５４（図１、図２参照）が同方向の外方へ突出している。シャットダンパ５１は、両軸５４において両軸受部２５により第１壁部２１に支持されており、開位置と閉位置との間で傾動可能である。シャットダンパ５１は、開位置では、図６（ａ）において実線で示すように、上下の両第２壁部２２間の略中央部分で、同第２壁部２２に対し略平行となって、通風路２０を大きく開放する。シャットダンパ５１は、閉位置では、同図６（ａ）において二点鎖線で示すように、上下の両第２壁部２２に対し傾斜し、シール部材５３において第１壁部２１及び第２壁部２２の各内壁面に接触し、通風路２０を閉鎖する。
【００４４】
＜操作ノブ６２＞
図１及び図５に示すように、操作ノブ６２は、吹出口１５からの空調用空気Ａ１の吹き出し方向を変更する際に乗員によって操作される部材である。操作ノブ６２は、メインフィン３１上に、第１方向へのスライド可能に外嵌されている。操作ノブ６２は、メインフィン３１と一緒に両フィン軸３４を支点として傾動可能であり、また、メインフィン３１上をスライドすることで、第１方向へ変位可能である。
【００４５】
＜伝達機構ＤＭ１＞
伝達機構ＤＭ１は、操作ノブ６２の上記スライド動作を上流側フィン４１に伝達して、両フィン軸４３を支点として同上流側フィン４１を傾動させるための機構である。
【００４６】
図４及び図５に示すように、上流側フィン４１には、その下流端縁から上流へ向けて切欠き部４７が形成されている。また、切欠き部４７の下流端には、第２方向へ延びる伝達軸部４８が設けられている。
【００４７】
図３及び図５に示すように、操作ノブ６２の上流端にはフォーク６３が連結されている。フォーク６３は、自身の下流端に設けられた一対の支軸６４において、操作ノブ６２の上流端に対し圧入されている。フォーク６３は、両支軸６４を支点として傾動可能である。フォーク６３は、上流へ延びる一対の伝達片６５を自身の上流部に備えており、両伝達片６５によって上記上流側フィン４１の伝達軸部４８を挟み込んでいる。
【００４８】
なお、切欠き部４７は、上流側フィン４１の傾動に伴う両伝達片６５との干渉を回避するためのものである。切欠き部４７及び伝達軸部４８は、上流側フィン４２には設けられていない。
【００４９】
そのため、操作ノブ６２がメインフィン３１に沿って第１方向へスライドさせられると、フォーク６３及び伝達軸部４８を通じて上流側フィン４１に同方向の力が加えられ、同上流側フィン４１が両フィン軸４３を支点として傾動させられる。
【００５０】
以上が本実施形態の空調用薄型レジスタ１０の基本構造である。
上記基本構造に加え、本実施形態では、図２及び図６（ａ）に示すように、各第２壁部２２において下流部を除く大部分が、平坦な一般壁部２６によって構成されている。両一般壁部２６は互いに平行の関係にある。各第２壁部２２の下流部は、通風路２０から遠ざかる側へ膨出する膨出壁部２７によって構成されている。各膨出壁部２７は、補助フィン３２，３３が一般壁部２６に対し平行な状態となったとき、同膨出壁部２７の上流端が補助フィン３２，３３の上流端に近接する箇所に形成されている。各膨出壁部２７は、その上流部を構成する上流側傾斜部２７ａと、下流部を構成する下流側傾斜部２７ｂとからなる。各上流側傾斜部２７ａは、下流ほど一般壁部２６から第２方向へ遠ざかるように傾斜している。各下流側傾斜部２７ｂは、下流ほど第２方向のうち一般壁部２６に近づくように傾斜している。そして、これらの上流側傾斜部２７ａ及び下流側傾斜部２７ｂによって囲まれた空間、表現を変えると、膨出壁部２７の内部空間は、補助フィン３２，３３が一般壁部２６よりも通風路２０の外側へ傾動するのを許容する傾動空間ＴＳを構成している。
【００５１】
一対の補助フィン３２，３３は、吹出口１５と第２壁部２２との間で第１壁部２１に対し傾動可能に支持されている。より詳しくは、ベゼル１４における吹出口１５の周りであって、少なくとも第２方向に対向する２箇所からは上流側へ向けて突部１４ａが突出している。各補助フィン３２，３３のフィン軸３４は、突部１４ａの上流近傍に配置されている。各補助フィン３２，３３は、メインフィン３１が一般壁部２６に対し平行な状態にされたとき、傾動空間ＴＳの通風路２０との境界部分で一般壁部２６に対し平行な状態にされる。
【００５２】
また、本実施形態では、図６（ｂ）に示すように、吹出口１５における第２方向の寸法Ｍ１と、一対の一般壁部２６の間隔Ｄ１とが同一又は近い値に設定されている。上述したように、両第１壁部２１の間隔Ｄ２（図５参照）が、空調用空気Ａ１の流れ方向のどの箇所でも均一である。このことから、上記事項は、吹出口１５における流路面積と、一般壁部２６における流路面積とが同一又は近い値に設定されているともいえる。
【００５３】
さらに、本実施形態では、図７及び図８に示すように、メインフィン３１が採り得る最大角度傾動されたときの両補助フィン３２，３３の間隔Ｄ３が、採り得る最大の値又はそれに近い値に設定されている。
【００５４】
前記のようにして本実施形態の空調用薄型レジスタ１０が構成されている。次に、この空調用薄型レジスタ１０の作用について説明する。
図６（ａ）の二点鎖線は、シャットダンパ５１が閉位置にあるときの状態を示している。この状態では、通風路２０がシャットダンパ５１によって閉塞される。空調用空気Ａ１がシャットダンパ５１よりも下流側へ流れることが遮断され、吹出口１５からの空調用空気Ａ１の吹き出しが停止される。
【００５５】
これに対し、図６（ａ）の実線は、シャットダンパ５１が開位置にあるときの状態を示している。この状態では、通風路２０が全開となり、空調用空気Ａ１がシャットダンパ５１の上側と下側とに分かれて流れる。シャットダンパ５１を通過した空調用空気Ａ１は、上流側フィン群及び下流側フィン群に沿って流れた後、吹出口１５から吹き出す。
【００５６】
シャットダンパ５１の閉位置から開位置への切替え、及び開位置から閉位置への切替えは、ベゼル１４に支持された操作ダイヤル５５（図５参照）の回動操作を通じて行なわれる。操作ダイヤル５５が乗員によって回動操作されると、その回動は、ダンパ駆動機構（図示略）を介してシャットダンパ５１に伝達され、同シャットダンパ５１が軸５４を支点として傾動させられる。
【００５７】
なお、以下の説明は、シャットダンパ５１が開位置にあることを前提としている。
図６（ａ），（ｂ）は、メインフィン３１が上下の両一般壁部２６に対し平行（略水平）にされた空調用薄型レジスタ１０を示している。このときには、各補助フィン３２，３３は、第２壁部２２に接近した箇所で、より詳しくは、傾動空間ＴＳの通風路２０との境界部分で、第２壁部２２の一般壁部２６に対し平行な状態となる。
【００５８】
シャットダンパ５１を通過した空調用空気Ａ１の一部は、メインフィン３１と補助フィン３２，３３との間の流路において、それらのメインフィン３１及び補助フィン３２，３３に沿って流れ、吹出口１５から下流側へ真っ直ぐ吹き出す。このときには、メインフィン３１と各補助フィン３２，３３との間における流路の流路面積が、採り得る最大となる。
【００５９】
また、このときには、各補助フィン３２，３３の上流端が各膨出壁部２７の上流端に近接した箇所に位置する。各傾動空間ＴＳは、通風路２０との境界部分で補助フィン３２，３３によって塞がれた状態となる。補助フィン３２，３３と第２壁部２２の一般壁部２６との隙間は狭く、この隙間を通って傾動空間ＴＳに流入する空調用空気Ａ１は少ない。
【００６０】
ここで、メインフィン３１及び補助フィン３２，３３がいずれも第２壁部２２に平行な状態であることから、それらによる通風抵抗は最小となる。このときの通風抵抗は、吹出口１５における第２方向の寸法Ｍ１と、両一般壁部２６の間隔Ｄ１との差によって左右される。しかし、本実施形態では上記のように、吹出口１５の寸法Ｍ１と、一般壁部２６の間隔Ｄ１とが同一又は近い値に設定されていて、両者（Ｍ１，Ｄ１）の差が小さい。そのため、空調用空気Ａ１がメインフィン３１及び補助フィン３２，３３に沿って流れる際に流路面積が急激に減少することによる通風抵抗の増大が起こりにくく、圧力損失が減少される。
【００６１】
また、このときには、各補助フィン３２，３３が一般壁部２６に対し平行な状態で、吹出口１５と第２壁部２２との間であって、突部１４ａの上流側近傍に位置する。そのため、空調用薄型レジスタ１０を下流側から見た場合、各補助フィン３２，３３の手前に、吹出口１５の周りの部分（突部１４ａ）が位置することとなり、各補助フィン３２，３３が上記部分（突部１４ａ）に隠れる。
【００６２】
図６（ａ），（ｂ）に示す上記状態から、操作ノブ６２に対し、上方へ向かう力が加えられると、図７に示すように、メインフィン３１がフィン軸３４を支点として反時計回り方向へ傾動させられる。メインフィン３１は、上流側ほど低くなるように傾斜した状態となる。また、メインフィン３１の上記傾動がリンク機構ＬＭ１（図１、図２）により両補助フィン３２，３３に伝達され、両補助フィン３２，３３がメインフィン３１と同じ傾向の傾きとなるようにメインフィン３１に同期した状態で傾動させられる。その結果、メインフィン３１の上流端から遠い側である上側の補助フィン３２は、上流側ほど低くなる、すなわち上側の第２壁部２２の膨出壁部２７から下方へ遠ざかるように傾斜した状態となる。また、メインフィン３１の上流端に近い側である下側の補助フィン３３の多くは、下側の第２壁部２２における膨出壁部２７内の傾動空間ＴＳに入り込み、上流側ほど低くなるように傾斜した状態となる。この状態では、下側の補助フィン３３は、下側の膨出壁部２７の下流側傾斜部２７ｂに接近する。
【００６３】
通風路２０を流れる空調用空気Ａ１は、メインフィン３１及び両補助フィン３２，３３に沿って流れることで、斜め上方へ向きを変えられて吹出口１５から吹き出す。
上記の状態から、操作ノブ６２に対し下方へ向かう力が加えられると、各部が上記とは逆の動作を行ない、メインフィン３１及び両補助フィン３２，３３が第２壁部２２に対し略平行な状態に戻される。
【００６４】
また、図６（ａ），（ｂ）に示す上記状態から、操作ノブ６２に対し、下方へ向かう力が加えられると、図８に示すように、メインフィン３１がフィン軸３４を支点として時計回り方向へ傾動させられる。メインフィン３１は、上流側ほど高くなるように傾斜した状態となる。また、メインフィン３１の上記傾動がリンク機構ＬＭ１（図１、図２）により両補助フィン３２，３３に伝達され、両補助フィン３２，３３がメインフィン３１と同じ傾向の傾きとなるようにメインフィン３１に同期した状態で傾動させられる。その結果、メインフィン３１の上流端から遠い側である下側の補助フィン３３は、上流側ほど高くなる、すなわち、下側の第２壁部２２の膨出壁部２７から上方へ遠ざかるように傾斜した状態となる。また、メインフィン３１の上流端に近い側である上側の補助フィン３２の多くは、上側の第２壁部２２における膨出壁部２７内の傾動空間ＴＳに入り込み、上流側ほど高くなるように傾斜した状態となる。この状態では、上側の補助フィン３２は、上側の膨出壁部２７の下流側傾斜部２７ｂに接近する。
【００６５】
通風路２０を流れる空調用空気Ａ１は、メインフィン３１及び上下の両補助フィン３２，３３に沿って流れることで、斜め下方へ向きを変えられて吹出口１５から吹き出す。
上記の状態から、操作ノブ６２に対し上方へ向かう力が加えられると、各部が上記とは逆の動作を行ない、メインフィン３１及び両補助フィン３２，３３が第２壁部２２に対し略平行な状態に戻される。
【００６６】
従って、メインフィン７５の上流端に近い側の補助フィン７６が上下の壁部７４に対し平行な状態にされるもの（図１０参照）とは異なり、補助フィン３２，３３とメインフィン３１との間における流路の上下方向の寸法が大きい。そのため、空調用空気Ａ１が、メインフィン３１とその上流端に近い側の補助フィン３２，３３との間の流路を通過する際に受ける通風抵抗の増大が起こりにくい。
【００６７】
メインフィン３１と補助フィン３２，３３との間の流路の流路面積は、メインフィン３１及び両補助フィン３２，３３の一般壁部２６に対する傾斜角度が大きくなるに従い小さくなる。しかし、メインフィン３１が採り得る最大角度傾動されたときの両補助フィン３２，３３の間隔Ｄ３が、採り得る最大の値又はそれに近い値に設定されることにより、メインフィン３１と補助フィン３２，３３との間に広い流路が確保される。メインフィン３１が採り得る最大角度傾動されたときにも、空調用空気Ａ１が、メインフィン３１と補助フィン３２，３３との間の流路を通過する際に受ける通風抵抗が小さい。
【００６８】
また、このときには両方の補助フィン３２，３３がともにメインフィン３１と同じ傾向の傾きとなるため、一方の補助フィン７６が上下の壁部７４に対し平行な状態にされるもの（図１０参照）に比べ、空調用空気Ａ１はメインフィン３１の向きと同様の方向へ流れやすく、空調用空気Ａ１の指向性が向上する。
【００６９】
なお、図５において、操作ノブ６２に対し、第１方向に向かう力が加えられると、同操作ノブ６２がメインフィン３１上を同方向へスライドする。また、上記操作ノブ６２に加えられた力は、フォーク６３を介して、中央の上流側フィン４１の伝達軸部４８に伝わる。上流側フィン４１はフィン軸４３を支点として、第１方向のうち、操作ノブ６２が操作された側へ傾動させられる。この際、伝達軸部４８は、フィン軸４３の周りを旋回する。このフィン軸４３を支点とする上流側フィン４１の動きは、図１、図４等に示すアーム４４、連結軸４５及び連結ロッド４６を介して他の上流側フィン４２に伝達される。この伝達により、全ての上流側フィン４２が上流側フィン４１に同期して、操作ノブ６２の操作された側へ傾動する。空調用空気Ａ１は、上記のように傾動された上流側フィン４１，４２に沿って流れることで、向きを変えられて吹出口１５から吹き出す。
【００７０】
以上詳述した本実施形態によれば、次の効果が得られる。
（１）上下の各第２壁部２２の下流部に、通風路２０から遠ざかる側へ膨出する膨出壁部２７を設ける。各膨出壁部２７で囲まれた空間により、各補助フィン３２，３３が、各第２壁部２２の一般壁部２６よりも通風路２０の外側へ傾動するのを許容する傾動空間ＴＳを構成する。さらに、吹出口１５における第２方向の寸法Ｍ１と、一対の一般壁部２６の間隔Ｄ１とを同一又は近い値に設定している（図６（ａ），（ｂ））。
【００７１】
そのため、メインフィン３１及び両補助フィン３２，３３が、第２壁部２２の一般壁部２６に対し平行な状態であるとき（図６（ｂ））にも、傾斜した状態であるとき（図７、図８）にも、通風抵抗を小さくして圧力損失を減少させることができる。
【００７２】
（２）ベゼル１４における吹出口１５の周りであって、少なくとも第２方向に対向する２箇所からは上流側へ向けて突部１４ａを突出させる。そして、各補助フィン３２，３３のフィン軸３４を、突部１４ａの上流近傍に配置する。こうすることで、一対の補助フィン３２，３３を、吹出口１５と第２壁部２２との間で第１壁部２１に対し傾動可能に支持している（図６（ｂ））。
【００７３】
そのため、空調用薄型レジスタ１０を下流側から見た場合に、各補助フィン３２，３３を見えにくくし、見栄えをよくすることができる。
（３）メインフィン３１が一般壁部２６に対し平行な状態にされたとき、各補助フィン３２，３３を、傾動空間ＴＳの通風路２０との境界部分において、同一般壁部２６に対し平行な状態にしている（図６（ｂ））。
【００７４】
そのため、メインフィン３１が一般壁部２６に対し平行な状態にされたときには、空調用空気Ａ１が傾動空間ＴＳに流入するのを抑制することができる。
また、このときには、各補助フィン３２，３３の上流端を各膨出壁部２７の上流端に近接した箇所に位置させることで、両者の隙間を狭くしている。そのため、空調用空気Ａ１の傾動空間ＴＳへの流入をより一層抑制することができる。
【００７５】
（４）メインフィン３１が採り得る最大角度傾動されたときの両補助フィン３２，３３の間隔Ｄ３を、採り得る最大の値又はそれに近い値に設定している（図７、図８）。
そのため、メインフィン３１が採り得る最大角度傾動されたときにも、空調用空気Ａ１が、メインフィン３１と補助フィン３２，３３との間の流路を通過する際に受ける通風抵抗を小さくし、圧力損失を少なくすることができる。
【００７６】
なお、上記実施形態は、これを以下のように変更した変形例として実施することもできる。
＜下流側フィン群について＞
・両補助フィン３２，３３は、メインフィン３１と同じ傾向の傾きとなるように同メインフィン３１に同期した状態で傾動させられればよく、必ずしもメインフィン３１に対し厳密に平行にならなくてもよい。
【００７７】
・下流側フィン群は、一対の補助フィン３２，３３と、それらの間に配置される複数枚のメインフィン３１とからなるものであってもよい。
＜適用箇所について＞
・上記空調用薄型レジスタ１０は、車室内においてインストルメントパネルとは異なる箇所に設けられる空調用薄型レジスタ１０にも適用可能である。
【００７８】
・上記空調用薄型レジスタ１０は、空調装置から送られてきて室内に吹き出す空調用空気Ａ１の向きをフィンによって調整することのできるものであれば、車両に限らず広く適用可能である。
【００７９】
＜その他＞
・上記空調用薄型レジスタ１０は、吹出口１５が縦長となるように配置される空調用薄型レジスタ１０にも適用可能である。この場合、上下方向が第１方向となり、車幅方向が第２方向となる。ケース１１において、上下方向に相対向する壁部が第１壁部２１となり、車幅方向に相対向する壁部が第２壁部２２となる。メインフィン３１及び補助フィン３２，３３は車幅方向に配列され、上流側フィン４１，４２は上下方向に配列されることとなる。
【００８０】
・上流側フィン４１，４２、シャットダンパ５１等、本発明の特徴部分とは直接関係のない部材、箇所等については、省略したり、形状・数等を変更したりする等、適宜に変更されてもよい。
【符号の説明】
【００８１】
１０…空調用薄型レジスタ、１１…ケース、１５…吹出口、２０…通風路、２１…第１壁部、２２…第２壁部、２６…一般壁部、２７…膨出壁部、３１…メインフィン、３２，３３…補助フィン、Ａ１…空調用空気、Ｄ１，Ｄ２，Ｄ３，Ｄ４…間隔、Ｍ１…寸法、ＴＳ…傾動空間。
【図１】
2016016786.tif 000003
【図２】
2016016786.tif 000004
【図３】
2016016786.tif 000005
【図４】
2016016786.tif 000006
【図５】
2016016786.tif 000007
【図６】
2016016786.tif 000008
【図７】
2016016786.tif 000009
【図８】
2016016786.tif 000010
【図９】
2016016786.tif 000011
【図１０】
2016016786.tif 000012